(57)【要約】【課題】天井埋込型換気扇等に使用される送風装置において、高効率化を目的とする。【解決手段】筐体２内に、電動機５により駆動される羽根車６と、羽根車６の周囲を囲うスクロールケーシング７と、筐体２の外側に筐体吹出口４とダクト８を接続するアダプタ９を備え、スクロールケーシング７は筐体吸込口３と連通したケーシング吸込口１０と、筐体吹出口４と連結したケーシング吹出口１１を備え、アダプタ９の形状は、空気の流れ方向に垂直なアダプタ９断面において、羽根車６の回転軸方向の寸法Ｄｈの最大値が、回転軸方向と直行する方向の寸法Ｄｗの最大値よりも短く構成されており、天井や壁に埋め込んで使用する送風装置１で、アダプタ９断面の形状が、寸法Ｄｈが最大値となる位置を、寸法Ｄｗ／２の位置よりもケーシング吹出口を通過する空気の風速が速い方向へ０．２Ｄｗ〜０．４Ｄｗの位置とした構成。【選択図】図２
2014055557.tif 000002
【特許請求の範囲】
【請求項１】
筐体吸込口と筐体吹出口を備えた筐体内に、電動機により駆動される羽根車と、前記羽根車の周囲を囲うスクロールケーシングと、前記筐体の外側に前記筐体吹出口とダクトを接続するアダプタを備え、天井や壁に埋め込んで使用する送風装置であって、
前記スクロールケーシングは、
前記筐体吸込口と連通したケーシング吸込口と、前記筐体吹出口と連結したケーシング吹出口を備え、
前記アダプタの形状は、
空気の流れ方向に垂直なアダプタ断面において、前記羽根車の回転軸方向の寸法Ｄｈの最大値が、回転軸方向と直行する方向の寸法Ｄｗの最大値よりも短く構成されている略楕円形状であり、
前記アダプタ断面の形状が、前記寸法Ｄｈが最大値となる位置を、前記寸法Ｄｗ／２の位置よりも前記ケーシング吹出口を通過する空気の風速が速い方向へ０．２Ｄｗ〜０．４Ｄｗの位置としたことを特徴とする送風装置。
【請求項２】
アダプタ断面の寸法Ｄｗ／２の位置が、前記ケーシング吹出口の中心よりも前記ケーシング吹出口を通過する空気の風速が速い方向に位置したことを特徴とする送風装置。
【発明の詳細な説明】
【技術分野】
【０００１】
本発明は、天井埋込型換気扇等に使用される送風装置に関するものである。
【背景技術】
【０００２】
従来、この種の送風装置は、天井埋込型の換気扇等が知られている（例えば、特許文献１参照）。
【０００３】
以下、その送風装置について図４を参照しながら説明する。
【０００４】
図４に示すように、遠心送風機１０６は、一面を開口した外郭１０１と、この外郭１０１内の天面１０２に羽根車１０３を固着した電動機１０４と、羽根車１０３の周囲を取り囲むケーシング１０５を備え、ケーシング１０５の吹出し口１０７とダクト１０８が外郭１０１に取付けられたダクト接続アダプタ１０９で接続された構成となっている。
【０００５】
上記構成において、羽根車１０３が回転すると、吸込空気はケーシング１０５より羽根車１０３に入り羽根車１０３により昇圧され、ケーシング１０５の内部を通り吹出し口１０７からダクト接続アダプタ１０９を介してダクト１０８より排気される。
【先行技術文献】
【特許文献】
【０００６】
【特許文献１】特開平８−３０３８３１号公報（第１図）
【発明の概要】
【発明が解決しようとする課題】
【０００７】
このような従来のダクト接続アダプタ１０９を用いた遠心送風機１０６では、羽根車１０３によって生じた空気の流れが羽根車１０３の回転による影響でダクト接続アダプタ１０９内を通過する際に均一な速度分布にならず、圧力損失となるという課題を有していた。
【０００８】
そこで本発明は、上記従来の課題を解決するものであり、アダプタを通過する空気の風速分布のばらつきが小さい効率の良い送風装置を提供することを目的とする。
【課題を解決するための手段】
【０００９】
そして、この目的を達成するために、本発明は、筐体吸込口と筐体吹出口を備えた筐体内に、電動機により駆動される羽根車と、前記羽根車の周囲を囲うスクロールケーシングと、前記筐体の外側に前記筐体吹出口とダクトを接続するアダプタを備え、前記スクロールケーシングは前記筐体吸込口と連通したケーシング吸込口と、前記筐体吹出口と連結したケーシング吹出口を備え、前記アダプタの形状は、空気の流れ方向に垂直なアダプタ断面において、前記羽根車の回転軸方向の寸法Ｄｈの最大値が、回転軸方向と直行する方向の寸法Ｄｗの最大値よりも短く構成されている略楕円形状であり、天井や壁に埋め込んで使用する送風装置で、前記アダプタ断面の形状が、前記寸法Ｄｈが最大値となる位置を、前記寸法Ｄｗ／２の位置よりも前記ケーシング吹出口を通過する空気の風速が速い方向へ０．２Ｄｗ〜０．４Ｄｗの位置としたことを特徴とする送風装置としたものであり、これにより所期の目的を達成するものである。
【発明の効果】
【００１０】
本発明によれば、筐体吸込口と筐体吹出口を備えた筐体内に、電動機により駆動される羽根車と、前記羽根車の周囲を囲うスクロールケーシングと、前記筐体の外側に前記筐体吹出口とダクトを接続するアダプタを備え、前記スクロールケーシングは前記筐体吸込口と連通したケーシング吸込口と、前記筐体吹出口と連結したケーシング吹出口を備え、前記アダプタの形状は、空気の流れ方向に垂直なアダプタ断面において、前記羽根車の回転軸方向の寸法Ｄｈの最大値が、回転軸方向と直行する方向の寸法Ｄｗの最大値よりも短く構成されている略楕円形状であり、天井や壁に埋め込んで使用する送風装置で、前記アダプタ断面の形状が、前記寸法Ｄｈが最大値となる位置を、前記寸法Ｄｗ／２の位置よりも前記ケーシング吹出口を通過する空気の風速が速い方向へ０．２Ｄｗ〜０．４Ｄｗの位置としたという構成にしたことにより、アダプタを通過する風速分布のばらつきが小さくなるので、圧力損失が小さくなり効率が良くなるという効果を得ることができる。
【図面の簡単な説明】
【００１１】
【図１】本発明の実施の形態１の送風装置を示す構成図
【図２】本発明の実施の形態１のアダプタを示す構成図
【図３】本発明の実施の形態２の送風装置を示す構成図
【図４】従来技術の一例を示す構成図
【発明を実施するための形態】
【００１２】
本発明の請求項１記載の送風装置は、筐体吸込口と筐体吹出口を備えた筐体内に、電動機により駆動される羽根車と、前記羽根車の周囲を囲うスクロールケーシングと、前記筐体の外側に前記筐体吹出口とダクトを接続するアダプタを備え、前記スクロールケーシングは前記筐体吸込口と連通したケーシング吸込口と、前記筐体吹出口と連結したケーシング吹出口を備え、前記アダプタの形状は、空気の流れ方向に垂直なアダプタ断面において、前記羽根車の回転軸方向の寸法Ｄｈの最大値が、回転軸方向と直行する方向の寸法Ｄｗの最大値よりも短く構成されている略楕円形状であり、天井や壁に埋め込んで使用する送風装置で、前記アダプタ断面の形状が、前記寸法Ｄｈが最大値となる位置を、前記寸法Ｄｗ／２の位置よりも前記ケーシング吹出口を通過する空気の風速が速い方向へ０．２Ｄｗ〜０．４Ｄｗの位置とした構成を有する。これにより、アダプタを通過する空気の風速分布のばらつきが小さくなるので、効率を向上させることが可能となるという効果を奏する。
【００１３】
また、アダプタ断面の寸法Ｄｗ／２の位置が、前記ケーシング吹出口の中心よりも前記ケーシング吹出口を通過する空気の風速が速い方向に位置した構成にしてもよい。これにより、ケーシング吹出口を通過する空気の風速の速い方向のアダプタ断面積が大きくなるので、アダプタによる圧力損失を低減し効率を向上させることが可能となるという効果を奏する。
【００１４】
以下、本発明の実施の形態について図面を参照しながら説明する。
【００１５】
（実施の形態１）
図１に示すように、浴室やトイレなどの空間を換気するために天井や壁に取り付けられ埋込型換気扇として使用される送風装置１は、筐体吸込口３と筐体吹出口４を備えた２６０ｍｍ角で高さが８５ｍｍの筐体２内に、電動機５により駆動される外径が１７５ｍｍの羽根車６と、羽根車６の周囲を囲うスクロールケーシング７と、筐体２の外側に筐体吹出口４とダクト８を接続するアダプタ９を備え、スクロールケーシング７は筐体吸込口３と連通したケーシング吸込口１０と、筐体吹出口４と連結したケーシング吹出口１１を備えている。
【００１６】
ケーシング吸込口１０から吸込まれた空気は羽根車６で昇圧され、ケーシング吹出口１１、アダプタ９を通ってダクト８へと流れる。
【００１７】
図２に示すように、アダプタ９のダクト８接続側の開口形状は、空気の流れ方向に垂直なアダプタ断面において、羽根車６の回転軸方向の寸法Ｄｈの最大値が、回転軸方向と直行する方向の寸法Ｄｗの最大値よりも短く構成されている略楕円状であり、ダクト８とアダプタ９を接続する際はダクト８を押しつぶしてアダプタ９の外形に合わせて接続するもので、アダプタ９のダクト８接続側の開口形状は、寸法Ｄｈが最大値となる位置を、寸法Ｄｗの中心の位置よりもケーシング吹出口１１を通過する空気の風速が速い方向へＤｘずらした位置としている。
【００１８】
本実施の形態では、アダプタ９のダクト８接続側の開口の形状は、寸法Ｄｈの最大値が６３ｍｍ、寸法Ｄｗが１２４ｍｍとしており、ケーシング吹出口１１を通過する風速は、スクロールケーシング７のスクロールが始まる位置側の風速が速いため、寸法Ｄｈが最大となる位置は、寸法Ｄｗの中心の位置よりもスクロールが始まる位置側となっており、Ｄｘを０．２Ｄｗ、すなわち約２５ｍｍとしている。
【００１９】
ここでケーシング吹出口１１を通過する空気の風速分布から、風速の最大値はＤｘが０．２Ｄｗ〜０．４Ｄｗの範囲内であり、寸法Ｄｈが最大となる位置もこの範囲が好ましい。
【００２０】
このような構成によれば、アダプタ９を通過する空気の風速分布のばらつきが小さくなるため、圧力損失が小さくなり効率を向上させることが可能となる。
【００２１】
さらに、ダクト８を取り付ける際に、Ｄｗ／２を挟んでＤｈの最大値がある側からＤｈの最大値のない側へとダクト８を取り付けることで、アダプタ９のダクト８接続側の開口部とダクト８との引っかかりを少なくすることができダクト８を容易に取り付けることが可能となる。
【００２２】
なお、本実施の形態では、寸法Ｄｈの最大値の位置をスクロールケーシング７のスクロールが始まる位置側としたが、スクロールが始まる位置と対向する側の風速が速い場合は、スクロールが始まる位置と対向する側に寸法Ｄｈの最大値が位置するような構成としても良い。
【００２３】
（実施の形態２）
図３において、図１および図２と同様の構成要素については同一の符号を付し、その詳細な説明は省略する。
【００２４】
図３は、アダプタ９のダクト８接続側の開口の寸法Ｄｗ／２の位置が、ケーシング吹出口１１の中心位置（図中の破線）よりもケーシング吹出口１１を通過する空気の風速が速い方向に位置した送風装置１の構成図である。
【００２５】
本実施の形態では、ケーシング吹出口１１を通過する空気の風速は、スクロールケーシング７のスクロールが始まる位置側が速いため、アダプタ９のダクト８接続側の開口の寸法Ｄｗ／２の位置をケーシング吹出口１１の中心よりも、スクロールが始まる位置側に位置した構成とした。
【００２６】
上記構成において、ケーシング吹出口１１を通過する空気の風速の速い方向のアダプタ９の断面積が大きくなるため、アダプタ９による圧力損失を低減し効率を向上させることが可能となる。
【００２７】
なお、本実施の形態では、アダプタ９のダクト８接続側の開口の寸法Ｄｗ／２の位置をスクロールケーシング７のスクロールが始まる位置側としたが、スクロールが始まる位置と対向する側の風速が速い場合は、スクロールが始まる位置と対向する側にアダプタ９のダクト８接続側の開口の寸法Ｄｗ／２が位置するような構成としても良い。
【産業上の利用可能性】
【００２８】
本発明にかかる送風装置は、高効率化を可能とするものであるので、天井埋込型換気扇等に使用される送風装置等として有用である。
【符号の説明】
【００２９】
１  送風装置
２  筐体
３  筐体吸込口
４  筐体吹出口
５  電動機
６  羽根車
７  スクロールケーシング
８  ダクト
９  アダプタ
１０  ケーシング吸込口
１１  ケーシング吹出口
１０１  外郭
１０２  天面
１０３  羽根車
１０４  電動機
１０５  ケーシング
１０６  遠心送風機
１０７  吹出し口
１０８  ダクト
１０９  ダクト接続アダプタ
【図１】
2014055557.tif 000003
【図２】
2014055557.tif 000004
【図３】
2014055557.tif 000005
【図４】
2014055557.tif 000006